(57)【要約】【課題】  本考案は、各種の調理器材を取換えて所望の調理を行う際に調理物を把持する手指や手首に疲労をためないような円滑な調理作業を行うことを目的とする。【解決手段】  本考案は、適当大きさと高さから成る座台１に球形状の凹面部２を設け、この座台の凹面部に底面部が球形状に成る器体３を回動自在に嵌置し、この器体の開口部には各種の調理器材８を載置し得るようにし、この調理器材に対する上方からの加圧力に合わせて前記器体が前記座台の凹面部上を回動し得るように成るものである。【選択図】    図４
0003109202.tif 000002
【実用新案登録請求の範囲】
【請求項１】
適当大きさと高さから成る座台に球形状の凹面部を設け、この座台の凹面部に底面部が球形状に成る器体を回動自在に嵌置し、この器体の開口部には各種の調理器材を載置し得るようにし、この調理器材に対する上方からの加圧力に合わせて前記器体が前記座台の凹面部上を回動し得るように成ることを特徴とする調理器。
【考案の詳細な説明】
【技術分野】
【０００１】
本考案は、調理器に関するものである。
【背景技術】
【０００２】
従来、調理器の器体の上面部に水平に嵌置する取換え式の各種の調理器材は調理物を把持する手との関係は直角状態にあり、その下方の容器体との間は固定状態にあることから、作業時の安定性はよくても、作業する手指や手首に疲労がたまるようになり、長時間の調理作業は困難であった。
【０００３】
従来、例えば次のような調理器が公知となっているが、いずれも疲労解消の効果を達成することができるものではなかった。
【０００４】
【特許文献１】実開平５−１８４４２号公報
【特許文献２】実開平５−３１７４９号公報
【特許文献３】特開平１０−２１１０８８号公報
【特許文献４】登録実用新案第３０６５４６８号公報
【特許文献５】特開２００２−１２５８４７号公報
【考案の開示】
【考案が解決しようとする課題】
【０００５】
そこで、本考案はこのような課題を解決することを目的とする調理器を提供せんとするものである。
【課題を解決するための手段】
【０００６】
本考案は、適当大きさと高さから成る座台に球形状の凹面部を設け、この座台の凹面部に底面部が球形状に成る器体を回動自在に嵌置し、この器体の開口部には各種の調理器材を載置し得るようにし、この調理器材に対する上方からの加圧力に合わせて前記器材が前記座台の凹面部上を回動し得るように成るものである。
【考案の効果】
【０００７】
本調理器を使用して各種の調理器材によって所望の調理を行うときに、各器材を載置する器体の底面部が球面形状に成り、この器体が嵌置する座台の凹面部も球形状に成ることから、各器材上で各種の調理を加圧して行うときに器体が座台の凹面部上を自由に回動するようになり、加圧して調理する手指や手首への疲労が起こらないことになる。
【０００８】
したがって、長時間にわたり同一の調理作業を繰返して行うことができるようになる。
【考案を実施するための最良の形態】
【０００９】
いま座台の凹面部に嵌置する器体はこの上面部に各種調理部材を載置して手に力を加えながら作業すると、この作業に伴って器体の底面部の外形球面が座台の凹面部上を自由に回動するようになるから、調理物を把持して加圧する手指や手首に疲労度はたまらない。したがって、長時間にわたり調理作業をすることが可能となる。
【実施例】
【００１０】
１は適当な大きさと高さから成る座台で、この座台には球形状に成る凹面部２を設ける。この座台１の成形材料には滑りにくいものを使用するとよく、また必要に応じてその底面部に滑止め部材を設ける。
【００１１】
３は底面部外形が略球形状に成る器体で、この器体の底面部と前記座台１の凹面部２とは嵌置するように成るが、器体３は座台１の凹面部２上を自由に回動し得る状態になる。前記器体３の適所には目盛を設ける。
【００１２】
前記器体３は、開口部４の一部に注出口５および柄部６を設ける。この柄部６は、他方の手で把持して支えるだけのものであるから、一方の手で調理物を把持して調理器体を使用する際の回動に影響はない。
【００１３】
前記器体３の開口部４の内側部には段部７を設け、この段部上に後記する各種調理器材が載置するように成る。
【００１４】
８はリンゴやグレープフルーツなどを絞るための絞り器材。
【００１５】
９は大根やキュウリなどをスライスするための切り器材。
【００１６】
１０は大根などをおろすための卸し器材。
【図面の簡単な説明】
【００１７】
【図１】全体の各部材の斜視図
【図２】要部材の斜視図
【図３】一使用例の斜視図
【図４】作業状態を含む要部断面正面図
【符号の説明】
【００１８】
１                    座台
２                    凹面部
３                    器体
４                    開口部
５                    注出口
６                    柄部
７                    段部
８，９，１０          各種の調理器材
【図１】
0003109202.tif 000003
【図２】
0003109202.tif 000004
【図３】
0003109202.tif 000005
【図４】
0003109202.tif 000006
【手続補正書】
【提出日】平成17年1月21日(2005.1.21)
【手続補正１】
【補正対象書類名】実用新案登録請求の範囲
【補正対象項目名】全文
【補正方法】変更
【補正の内容】
【実用新案登録請求の範囲】
【請求項１】
適当大きさと高さから成る座台に球形状の凹面部を設け、この座台の凹面部に底面部が球形状に成る器体を回動自在に嵌置し、この器体の開口部には各種の調理器材を載置し、この調理器材にかける手動力に合わせて器体の底面部が座台凹面部との間で適当な角度を求めて自在に作動し得るように成ることを特徴とする調理器。
【手続補正２】
【補正対象書類名】明細書
【補正対象項目名】全文
【補正方法】変更
【補正の内容】
【考案の詳細な説明】
【技術分野】
【０００１】
本考案は、調理器に関するものである。
【背景技術】
【０００２】
従来、調理器の器体の上面部に水平に嵌置する取換え式の各種調理器材にあっては、調理物を把持する手との関係が常に直角状態にあり、その下方の容器体との間は固定状態にあることから、作業時の安定性はよくても、前後往復運動の繰返しにより作業する手首や手腕部分に疲労が蓄まるようになり、長時間の調理作業は困難であり、支障を来たしていた。
【０００３】
従来、例えば次のような調理器が公知となっているが、いずれも調理作業による疲労解消の効果を達成することができるものではなかった。
【０００４】
【特許文献１】実開平５−１８４４２号公報
【特許文献２】実開平５−３１７４９号公報
【特許文献３】特開平１０−２１１０８８号公報
【特許文献４】登録実用新案第３０６５４６８号公報
【特許文献５】特開２００２−１２５８４７号公報
【考案の開示】
【考案が解決しようとする課題】
【０００５】
そこで、本考案はこのような課題を人間工学の面から考えて解決することを目的とする調理器を提供せんとするものである。
【課題を解決するための手段】
【０００６】
本考案は、適当大きさと高さから成る座台に球形状の凹面部を設け、この座台の凹面部に底面部が球形状に成る器体を回動自在に嵌置し、この器体の開口部には各種の調理器材を載置し、この調理器材にかける手動力に合わせて器体の底面部が座台凹面部との間で適当な角度を求めて自在に作動し得るように成るものである。
【考案の効果】
【０００７】
本調理器を使用し各種の調理器材によって所望の調理を行うときに、各器材を載置する器体の底面部が球面形状に成り、この器体が嵌置する座台の凹面部も球形状に成ることから、各器材上で手動によって各種の調理を行うときに、器体の底面部が座台の凹面部上を自在に回動するようになり、加圧しながら調理する手首や手腕への疲労が起こらなくなる。
【０００８】
したがって、長時間にわたり同一の調理作業を繰返し円滑に行うことができるようになる。
【考案を実施するための最良の形態】
【０００９】
いま座台の凹面部に嵌置する器体はこの上面部に各種調理部材を載置して手に力を加えながら作業すると、この手作動に合わせて器体の底面部の外形球面が座台の凹面部との間で適当な角度を求めて自在に作動するようになるから、調理物を把持して加圧作動する手首や手腕に疲労がたまらない。したがって、長時間にわたって調理作業をすることが十分可能となる。
【実施例】
【００１０】
１は適当な大きさと高さから成る座台で、この座台には球形状に成る凹面部２を設ける。この座台１の成形材料には滑りにくいものを使用するとよく、また必要に応じてはその底面部に滑止め部材を設ける。
【００１１】
３は底面部外形が略球形状に成る器体で、この器体の底面部と前記座台１の凹面部２とは嵌置するようになるが、器体３の底面部は手作動に合わせて座台１の凹面部２上を適当な角度を求めるようにして自在に作動し得る状態になる。前記器体３の適所には目盛を設ける。
【００１２】
前記器体３は、開口部４の一部に注出口５および柄部６を設ける。この柄部６は、他方の手で把持して支えるものであるから、一方の手で調理物を把持し調理器体を使用する際の作動に影響はない。
【００１３】
前記器体３の開口部４の内側部には段部７を設け、この段部上には後記する各種調理器材８，９，１０が載置するように成る。
【００１４】
８はリンゴやグレープフルーツなどを絞るための絞り器材。
【００１５】
９は大根やキュウリなどをスライスするための切り器材。
【００１６】
１０は大根などをおろすための卸し器材。
【図面の簡単な説明】
【００１７】
【図１】全体の各部材の斜視図
【図２】要部材の斜視図
【図３】一使用例の斜視図
【図４】作業状態を含む要部断面正面図
【符号の説明】
【００１８】
１                    座台
２                    凹面部
３                    器体
４                    開口部
５                    注出口
６                    柄部
７                    段部
８，９，１０          各種の調理器材